(57)【要約】【課題】空調設備内の循環水は、冷却塔と熱交換器の間を循環する間に、一部は蒸発し、その結果、循環水は徐々に濃縮され、水中の鉄錆、炭酸カルシウムやシリカなどのスケール等の濃度が高くなり、配管を腐食させ、配管の閉塞や冷却効率を低下させるという障害を引き起こすことになる。そのため水の流通路の途中にセラミックボールを収納した収納槽を配置したり、循環冷却水系に水溶性ポリマーを添加したりする方法ではコストや手間がかかる。本発明は、上記の課題を解決する為のもので、コストや手間を軽減した水系循環装置に使用される機能性シートおよびその使用方法を提供するものである。【解決手段】平面的に分散した複数個の機能性固形物を一対の柔軟性のある水透過性シートで挟み込み、前記機能性固形物が飛散しないように、前記水透過性シートどうしを部分的に固定または固着した水系循環装置に使用される機能性シートおよびその使用方法を提供する。【選択図】図１
2018079460.tif 000002
【特許請求の範囲】
【請求項１】
平面的に分散した複数個の機能性固形物を一対の柔軟性のある水透過性シートで挟み込み、前記機能性固形物が飛散しないように、前記水透過性シートどうしを部分的に固定または固着した水系循環装置に使用される機能性固形物含有シート。
【請求項２】
機能性固形物が、シリカ吸着セラミックボール、界面活性ボール、殺菌・抗菌ボール、塩素除去ボール、防錆ボール、スケール防止ボール、または銀イオン溶出ガラス片であって分散して設けた請求項１の水系循環装置に使用される機能性固形物含有シート。
【請求項３】
平面的に分散した複数個の機能性固形物を一対の水透過性シートで挟み込み、前記機能性固形物が飛散しないように、前記水透過性シートどうしを部分的に固定または固着した水系循環装置に使用される機能性シートを冷却塔の散水槽の目皿の表面に一枚または複数枚設置する水系循環装置に使用される機能性固形物含有シートの使用方法。
【発明の詳細な説明】
【技術分野】
【０００１】  本発明は、水系循環装置に使用される機能性固形物含有シートおよびその使用方法に関する。
【背景技術】
【０００２】  従来、水系循環装置として、例えば、冷房装置等の空調設備では、水を冷却して循環させ、水の循環路に熱交換器を設置し、その熱交換器において室内の熱を水に吸収させ、熱を吸収した水を冷却塔へ移送し、冷却塔で再び冷却して、熱交換器へ移送することが行われている。【０００３】  そして、空調設備内の循環水は、冷却塔と熱交換器の間を循環する間に、一部は蒸発し、その結果、循環水は徐々に濃縮され、水中の鉄錆、炭酸カルシウムやシリカなどのスケール等の濃度が高くなり、配管を腐食させ、配管の閉塞や冷却効率を低下させるという障害を引き起こすことになる。【０００４】  このため、一定の水を定期的に補給すると共に排出し、循環水が濃縮されないように調整している。また、アルカリ剤など防錆剤を投入してｐＨを一定に保つようにして、配管が腐食されないような提案がされている。【０００５】  しかしながら、前記のような従来の循環水に水を補給する方法のみでは、水を供給しながら一部を排出しなければならず、多量の水を必要とするという問題があり、また、この方法のみでは配管の腐食を抑制することができないので、防錆剤を投与する方法があるが、この方法では経費がかかり、一時的な効果しかないという問題があった。【０００６】  そのため、特許文献１には、水の流通路の途中にセラミックボール収納した収納槽を配置することにより、水とセラミックボールを接触させ、水を活性化し、その活性化された水によって水中の有機物を分解すると共に、スケール付着防止を行い腐食の防止を行うので、防錆剤等を投入する必要が無くなり、維持費が削減できる方法が提案されている。
また、特許文献２には、循環冷却水系に、炭酸カルシウムを析出させる手段を設けてスケールの付着を防止する方法において、循環冷却水系に水溶性ポリマーを添加するスケールの付着防止方法が提案されている。
【先行技術文献】
【特許文献】
【０００７】
【特許文献１】特開平１０−１１８６９３公報
【特許文献２】特開２００１−１７０６８６公報
【発明の概要】
【発明が解決しようとする課題】
【０００８】  特許文献１のように、水の流通路の途中にセラミックボールを収納した収納槽を配置する為には、セラミックボール交換の為のバイパス工事を行わなければならず、工事の為のコストがかかる。またセラミックボールの収納槽内では一度水の通りやすい流路ができると、水はそこばかりを通る。その場合、水はセラミックボールの全表面積に触れることができずに効果が半減してしまう等の欠点があった。
また、特許文献２のように、循環冷却水系に水溶性ポリマーを添加した場合には、水は濃縮防止のために、供給水を補給しているが、この補給水によってポリマーは希釈され、効果が減少しやすい。その為、常にポリマーを補給する必要がある。また、常時補給するために供給装置の購入や設置工事を必要とするなどでコストや手間がかかる。【０００９】  本発明は、上記の課題を解決する為のもので、コストや手間を軽減した水系循環装置に使用される機能性固形物含有シートおよびその使用方法を提供するものである。
【課題を解決するための手段】
【００１０】  本発明は、上記の課題を解決するために、下記の水系循環装置に使用される機能性固形物含有シートおよびその使用方法を提供するものである。
（１）平面的に分散した複数個の機能性固形物を一対の柔軟性のある水透過性シートで挟み込み、前記機能性固形物が飛散しないように、前記水透過性シートどうしを部分的に固定または固着した水系循環装置に使用される機能性積層シート。
（２）上記（１）において、機能性固形物が、シリカ吸着セラミックボール、界面活性ボール、殺菌・抗菌ボール、塩素除去ボール、防錆ボール、スケール防止ボール、または銀イオン溶出ガラス片であって分散して設けた水系循環装置に使用される機能性シート。
（３）平面的に分散した複数個の機能性固形物を一対の水透過性シートで挟み込み、前記機能性固形物が飛散しないように、前記水透過性シートどうしを部分的に固定または固着した水系循環装置に使用される機能性シートを冷却塔の散水槽の目皿の表面に一枚または複数枚設置する水系循環装置に使用される機能性シートの使用方法。
【発明の効果】
【００１１】  本発明によれば、機能性固形物を自由に選び、自由な形に折りたためるシートにより、設備の形状に合わせて設置をすることができる、また機能性固形物が平面上に分散しているので、水の接触表面積が最大限に大きく、シート形状のため、設置やメンテナンスが容易でコストや手間を軽減できる、水系循環装置に使用される機能性シートを提供することができる。
【図面の簡単な説明】
【００１２】
【図１】本発明の機能性固形物含有シートの概略断面図を示している。
【図２】本発明の機能性固形物含有シートの概略平面図を示している。
【図３】本発明の機能性固形物含有シートの別の概略平面図を示している。
【図４】本発明の機能性固形物含有シートを取り付ける角型冷却塔の構造図を示している。
【図５】本発明の機能性固形物含有シートを取り付ける丸型冷却塔の構造図を示している。
【図６】本発明の機能性固形物含有シートを取り付けるスクラバーの構造図を示している。
【発明を実施するための形態】
【００１３】  本発明の機能性固形物は、それぞれシリカ吸着、界面活性、殺菌・抗菌、塩素除去、防錆、スケール防止、銀イオン溶出の機能を有し、形状はボール型、破片型で、具体的には、シリカ吸着セラミックボール、界面活性ボール、殺菌・抗菌ボール、塩素除去ボール、防錆ボール、スケール防止ボール、銀イオン溶出ガラス片、または銀イオンボールなどが使用できる。
【００１４】  本発明の水透過性シートは、目が粗く水を吸い込まずに素通りさせる機能を有するシートで、織物、編み物、不織布、エキスパンド状、パンチング状など限定なく使用できる。形状は自由に製作することができ、具体的には、洗濯ネットに利用される樹脂、ガラス、炭素または金属などの素材が使用できる。機能性固形物が飛散しないように、水透過性シートどうしを部分的に固着させるためには、少なくとも表面が熱融着性の素材を使用する。
【００１５】  本発明の機能性固形物含有シートは、平面的に分散した複数個の機能性固形物を一対の柔軟性のある水透過性シートで挟み込み、機能性固形物が飛散しないように、水透過性シートどうしを部分的に固定または固着したシートをさす。
【００１６】  本発明の水系循環装置は、冷却塔を有する冷房装置等の空調設備やチラーユニットなどをさす。
【００１７】  本発明の冷却塔は、水の蒸発を利用して温水を冷却する装置で、ビル空調や地域冷暖房設備である冷凍機の冷却水を冷却するために用いられる。温度が上昇した冷却水を冷却塔内で送風機により強制的に送り込んだ外気と接触し、温度を低下させ再度冷凍機に送られる。直接冷却の解放式冷却塔の向流型（丸型）、直交流型（角型）と間接冷却の密閉式の冷却塔が含まれる。
【００１８】  本発明の冷却塔の散水槽は、直接冷却の直交流型（角型）と間接冷却の密閉式冷却塔の上部にある、冷却塔内部充填材にシャワーする水を貯水する槽を指す。
【００１９】  本発明の冷却塔の散水槽の目皿は、散水槽の水を平均に拡散して冷却塔内部の充填材に注ぐためのもので、金属製、樹脂製のものがあり、いずれもパンチング板形状となっており、直径５ｍｍから直径１０ｍｍ程度の穴が多く開いているものである。この穴からシャワーのように冷却塔内部の充填材に水が注がれる。
【００２０】  以下、本発明の実施の形態を図面に基づいて説明する。
図１は、本発明の「水系循環装置に使用される機能性シート」の概略断面図を示している。機能性固形物含有シート１は、機能性固形物２を一対の水透過性シート３で挟んでいる。一対の水透過性シート３は、機能性固形物２が飛散しないようにまた場所的に偏らないように、格子状にまたは島状に部分的な固定または固着部分４を設けている。また複数の種類の機能性固形物２を使用した場合、同じ種類のものが偏らないように部分的に固定または固着させている。樹脂繊維、ガラス繊維または炭素繊維であれば、縫い物により、不織布であれば溶着により、金属であれば超音波溶接、冷間圧接などにより固定または固着させることができる。
シート状であるために、機能性固形物２を自由に選び、自由な形に切断または折りたためることにより、設備の形状に合わせて設置をすることができる、機能性固形物２が平面上に分散しているので、水の接触表面積を最大限に大きくすることができる。
【００２１】  図２は、本発明の機能性固形物含有シートの概略平面図を示している。機能性シート１は、長方形のシートの形状であり、格子状に部分的な固定または固着部分４を設けていて、各格子の中央部分には一個または複数個の同種類もしくは異なる種類の機能性固形物２が分散されて設けていることを示している。
【００２２】  図３は、本発明の機能性固形物含有シートの概略平面図を示している。機能性固形物含有シート１は、扇形のシートの形状であり、使用部位に合わせた形状にすることができることを示している。
【００２３】  図４は、本発明の機能性固形物含有シートを取り付ける角型冷却塔の構造図を示している。本発明の機能性固形物含有シート１が使われる角型冷却塔であり、本発明の機能性固形物含有シート１が設置される場所を示す。冷却塔５で冷却された冷却水は、下部水槽６で集められ、送り配管７により熱交換器に送られ、熱を吸収した暖水となり、戻り配管８に戻る。熱交換器で熱を吸収した暖水は散水槽９に入り、散水槽９下部の目皿１０からシャワーのように充填材１１に落ちていく。このプロセスの散水槽９下部の目皿１０の上に、図２の水系循環装置に使用される機能性シート１を広げて設置する。
【００２４】  図５は、本発明の機能性固形物含有シートを取り付ける丸型冷却塔の構造図を示している。本発明の機能性固形物含有シート１が使われる丸型冷却塔であり、本発明の機能性固形物含有シート１が設置される場所を示す。冷却塔１で冷却された冷却水は下部水槽６で集められ、送り配管７により熱交換器に送られ、熱を吸収した暖水となり、戻り配管８に戻る。熱交換器で熱を吸収した暖水は散水パイプ１２からシャワーのように充填材１１に落ちていく。このプロセスで丸型状である下部水槽６に同じ丸形状になるように扇形の機能性固形物含有シート１を広げて設置する。
【００２５】  図６は、本発明の機能性固形物含有シートを取り付けるスクラバーの構造図を示している。本発明の機能性固形物含有シート１が使われるスクラバーであり、本発明の機能性固形物含有シート１が設置される場所を示す。機能性固形物含有シート１を循環液水槽１４の循環液１５中に接触面積が多くなるよう広げて沈め、設置させる。
【実施例】
【００２６】以下、第１の実施例を説明する。
冷却塔では気化熱で水を冷却する。機械設備を冷却した水は温まって、冷却塔までもどる。戻った水は冷却塔の上部の散水槽にいき、散水槽下部の目皿からシャワーのように冷却塔内部の充填材の中に落ちていく。充填材に沿って落ちる水は気化熱により冷却され、下部水槽にたまり、再度、機械設備の冷却に回る。このプロセスのなかで、散水槽の目皿のところは日光により、藻や菌類が発生して目皿が詰まることがある。しかし、機能性固形物含有シートに銀イオン含有固形物をいれ、この散水槽に広げて設置しておけば、徐々に銀イオンが溶け出し藻や菌類の発生を防ぎ、目皿の詰まりを防止できる。また、冷却塔内部の充填物に同じく、藻や菌類が発生するが、散水槽に広げて設置すれば、銀イオンが全体に溶出して冷却塔内部の充填物にそって落ちるので、全体的に藻や菌類の発生を防止できる。防止だけでなく、すでに発生しているものに、殺菌・除去をおこなう。近年、問題となっているレジオネラ菌も殺菌する。【００２７】次に第２の実施例について説明する。
丸型冷却塔の場合、角型の冷却塔と異なり、目皿はなく、回転式散水パイプにより上部から散水される。機能性固形物含有シートに銀イオン含有固形物をいれ、この機能性固形物含有シートを下部水槽に設置する。この場合、機能性固形物含有シートを広げて、下部水槽全面に設置する。すべての戻り冷却水が回転式散水パイプから散水されるとき、散水された水はすべて、充填材に添って落ち、下部水槽に設置した機能性固形物含有シートを通過するが、通過することにより、微量の銀イオンが溶出して循環冷却水全体に行き渡り、全体的に藻や菌類の発生を防止できる。防止だけでなく、すでに発生しているものに、殺菌・除去をおこなう。近年、問題となっているレジオネラ菌も殺菌する。丸型冷却塔の場合、空気の流れが遮断されるので、充填材上部に設置してはならない。【００２８】次に第３の実施例について説明する。
工場設備では冷却水のように循環して水を利用している。しかし、配管に鉄パイプを利用していると、錆が発生して設備の劣化がおこる。水透過性シートに防錆・スケール防止固形物を入れて機能性固形物含有シートとし、冷却塔下部水槽全体に接触面積が多くなるよう広げて設置すれば、微量の成分が広く長期間に水に溶けだし、冷却水設備全体にいきわたり、全体の鉄部の防錆ができる。【００２９】次に第４の実施例について説明する。
工場排気には臭いのあるものがあるので、脱臭のために、スクラバーを使う。しかし、継続して使っているとスクラバーの循環液に有機物が溶け込み、それが腐ると腐敗臭が発生する。殺菌・抗菌機能の機能性固形物を入れた機能性固形物含有シートを、循環液水槽に循環液との接触面積が多くなるよう広げて沈め設置させる。機能性固形物含有シートの殺菌・抗菌機能は匂いの有機物の分解及び滅菌をさせ、腐敗臭の発生を防ぐ。
【符号の説明】
【００３０】１…機能性固形物含有シート、２…機能性固形物、３…水透過性シート、４…部分的な固定または固着部分、５…冷却塔、６…下部水槽、７…送り配管、８…戻り配管、９…散水槽、１０…目皿、１１…充填材、１２…散水パイプ、１３…循環液水槽、１４…循環液、１５…送風機
【図１】
2018079460.tif 000003
【図２】
2018079460.tif 000004
【図３】
2018079460.tif 000005
【図４】
2018079460.tif 000006
【図５】
2018079460.tif 000007
【図６】
2018079460.tif 000008